(57)【要約】【課題】高速撮影によりスロー動画を取得する場合に、適切に音声を記録すること。【解決手段】デジタルカメラは、再生時よりも高速のフレームレートで被写体像を撮像する撮像部１２と、集音する集音部１５と、撮像部１２により撮像された動画とともに、集音部１５で集音された音声を記録部２０に記録する記録制御部１４と、集音部１５で集音された音声が所定条件を満たすか否かを検出する検出部１４ｄと、検出部１４ｄで所定条件を満たす音声が連続して検出された時間を含むように音声の録音時間を決定し、録音時間に基づいて記録部２０に記録する動画の再生時間を決定し、動画の再生時間に基づいて動画の録画時間または動画の再生時のフレームレートを決定する決定部１４ｂと、を備える。【選択図】図１
2013207351.tif 000002
【特許請求の範囲】
【請求項１】
再生時よりも高速のフレームレートで被写体像を撮像する撮像部と、
集音する集音部と、
前記撮像部により撮像された動画とともに、前記集音部で集音された音声を記録部に記録する記録制御部と、
前記集音部で集音された音声が所定条件を満たすか否かを検出する検出部と、
前記検出部で前記所定条件を満たす音声が連続して検出された時間を含むように前記音声の録音時間を決定し、前記録音時間に基づいて前記記録部に記録する動画の再生時間を決定し、前記動画の再生時間に基づいて前記動画の録画時間または前記動画の再生時のフレームレートを決定する決定部と、
を備えることを特徴とするデジタルカメラ。
【請求項２】
請求項１に記載のデジタルカメラにおいて、
前記決定部は、前記動画の再生後に連続して再生される静止画の再生時間と、前記動画の再生時間との合計時間を前記録音時間以上となるように決定し、前記合計時間に基づいて前記動画の再生時間を決定することを特徴とするデジタルカメラ。
【請求項３】
請求項１または２に記載のデジタルカメラにおいて、
前記動画の記録を指示する操作部材と、
前記操作部材による指示前から前記撮像部により撮像された動画を蓄積する動画蓄積部と、
をさらに備え、
前記記録制御部は、前記決定部により決定された録画時間分の動画を前記動画蓄積部から読み出して前記記録部に記録することを特徴とするデジタルカメラ。
【請求項４】
請求項３に記載のデジタルカメラにおいて、
前記記録制御部は、前記操作部材による指示の時点を含む動画を前記記録部に記録することを特徴とするデジタルカメラ。
【請求項５】
請求項３に記載のデジタルカメラにおいて、
前記記録制御部は、前記録画時間の中央と前記録音時間の中央が一致する動画を前記記録部に記録することを特徴とするデジタルカメラ。
【請求項６】
請求項３〜５のいずれか一項に記載のデジタルカメラにおいて、
前記静止画は、前記操作部材による指示直後に前記撮像部が撮像した画像であることを特徴とするデジタルカメラ。
【発明の詳細な説明】
【技術分野】
【０００１】
本発明は、デジタルカメラに関する。
【背景技術】
【０００２】
再生時のフレームレートよりも高いフレームレートで動画を撮影する高速撮影機能を有するデジタルカメラが知られている（特許文献１参照）。この機能では、たとえば６０ｆｐｓのフレームレートで撮影した動画を３０ｆｐｓのフレームレートで再生することにより、動く被写体をゆっくりした動きで視認できるスローモーション動画（スロー動画）を得ることができる。
【先行技術文献】
【特許文献】
【０００３】
【特許文献１】特開２００８−１５３７９５号公報
【発明の概要】
【発明が解決しようとする課題】
【０００４】
被写体の一瞬の動きをとらえた動画を撮影するために、１回の操作（たとえばシャッターボタンの全押し操作）に応じて短時間の高速撮影を行うことが考えられる。この場合、撮影時間が非常に短いため、動画に合わせた適切な音声記録が困難である。従来技術では、短時間の高速撮影を行う場合については、考慮されていなかった。
【課題を解決するための手段】
【０００５】
本発明によるデジタルカメラは、再生時よりも高速のフレームレートで被写体像を撮像する撮像部と、集音する集音部と、撮像部により撮像された動画とともに、集音部で集音された音声を記録部に記録する記録制御部と、集音部で集音された音声が所定条件を満たすか否かを検出する検出部と、検出部で所定条件を満たす音声が連続して検出された時間を含むように音声の録音時間を決定し、録音時間に基づいて記録部に記録する動画の再生時間を決定し、動画の再生時間に基づいて動画の録画時間または動画の再生時のフレームレートを決定する決定部と、を備えることを特徴とする。
【発明の効果】
【０００６】
本発明によれば、高速撮影によりスロー動画を取得する場合に、適切に音声を記録できる。
【図面の簡単な説明】
【０００７】
【図１】本発明の実施の形態によるデジタルカメラの構成を例示する図である。
【図２】１ショット動画撮影における画像および音声の取得タイミングを説明する図である。
【図３】１ショット動画データの構成を説明する図である。
【図４】１ショット動画撮影処理の流れを説明するフローチャートである。
【発明を実施するための形態】
【０００８】
以下、図面を参照して本発明を実施するための形態について説明する。図１は、本発明の一実施の形態によるデジタルカメラの構成例を説明するブロック図である。図１において、デジタルカメラは、撮像光学系１１と、撮像素子１２と、フレームバッファメモリ１３と、ＣＰＵ１４と、マイク１５と、操作部材１６とを備える。デジタルカメラには、外部メモリ２０（たとえばメモリカード）が着脱可能である。
【０００９】
ＣＰＵ１４は、画像処理部１４ａと、時間決定部１４ｂと、マイクアンプ１４ｃと、音圧検出部１４ｄと、ビデオ／オーディオエンコード部１４ｅとを含む。
【００１０】
撮像光学系１１は、ズームレンズやフォーカシングレンズを含む複数のレンズ群で構成され、被写体像を撮像素子１２の受光面に結像させる。なお、図１を簡単にするため、撮像光学系１１を単レンズとして図示している。
【００１１】
撮像素子１２は、ＣＭＯＳイメージセンサなどによって構成される。撮像素子１２は、被写体像を光電変換して画像信号を生成する。画像信号は、不図示のＡ／Ｄ変換部でデジタル信号に変換され、フレームバッファメモリ１３に一時記憶される。フレームバッファメモリ１３は、撮像された画像信号を蓄積する。フレームバッファメモリ１３は、蓄積した画像信号に対して順次画像処理および外部メモリ２０への記録を行えるように設けられている。
【００１２】
ＣＰＵ１４は、不図示のフラッシュメモリが記憶するプログラムを実行することにより、デジタルカメラの動作を制御する。画像処理部１４ａは、フレームバッファメモリ１３から読み出した画像信号に対して各種の画像処理（画素補間処理、階調変換処理、輪郭強調処理、ホワイトバランス調整処理など）を施す。
【００１３】
マイクアンプ１４ｃは、マイク１５で集音した音響信号を増幅して音圧検出部１４ｄに出力する。ビデオ／オーディオエンコード部１４ｅは、画像処理部１４ａから出力された画像処理後の画像データおよび音圧検出部１４ｄから出力された音声データに対してデータエンコード処理を行い、得られたデータを外部メモリ２０に記録する。時間決定部１４ｂおよび音圧検出部１４ｄについては、後述する。
【００１４】
操作部材１６は、不図示のシャッターボタン、録画ボタンなどを含む。操作部材１６は、各ボタンが押下操作されると、各操作に応じた操作信号をＣＰＵ１４へ送出する。
【００１５】
本実施形態のデジタルカメラは、シャッターボタンの全押し操作に応じて１コマの静止画を取得して外部メモリ２０へ記録する通常の静止画撮影モード、および録画ボタンの押下操作に応じて所定のフレームレート（たとえば３０ｆｐｓ）で動画を取得して外部メモリ２０へ記録する動画撮影モードに加え、１ショット動画撮影モードを有する。
【００１６】
１ショット動画撮影モードは、被写体の一瞬の動きをとらえた動画を撮影するためのモードである。録画開始時と終了時にそれぞれ録画ボタンが操作される通常の動画撮影モードと異なり、１回の操作（シャッターボタンの全押し操作）に応じて動画を撮影する。具体的に、１ショット動画撮影モードでは、シャッターボタンの全押し操作に応じて高速撮影を行う。そして、１ショット動画を生成して外部メモリ２０へ記録する。１ショット動画を再生する場合、高速撮影により取得した動画をスロー再生した後、上記全押し操作時に取得したフレーム画像（静止画）を継続して再生する。なお、本実施形態では一例として、スロー再生時のフレームレートを３０ｆｐｓとし、高速撮影時のフレームレートを６０ｆｐｓとする。
【００１７】
＜１ショット動画撮影＞
本実施形態は、１ショット動画撮影モードにおける動作に特徴を有するので、以下の説明は１ショット動画撮影モードを中心に行う。図２は、１ショット動画撮影における画像および音声の取得タイミングを説明する図である。図２における白い帯は、取得データが外部メモリ２０へ記録される区間を表す。斜線の帯は、取得データがいったんフレームバッファメモリ１３などに記憶されたものの外部メモリ２０へ記録されない区間を表す。
【００１８】
ＣＰＵ１４は、時刻ｔ０にシャッターボタンが半押し操作されると、プリキャプチャー処理を開始させる。プリキャプチャー処理では、撮影指示前（シャッターボタンの全押し操作前）に撮像素子１２により撮像される画像データおよびマイク１５により集音される音声データを一時記憶する。具体的には、撮像素子１２に高速撮影時のフレームレート（６０ｆｐｓ）で被写体像を撮像させ、取得した画像データを逐次フレームバッファメモリ１３へ一時記憶する。また、マイク１５により集音された音声データを逐次ＣＰＵ１４内の不図示のメモリへ一時記憶する。音声は等倍録音とする。取得した画像データおよび音声データについては所定時間分（たとえば直近１秒分）を一時記憶し、古い画像データおよび音声データから順に上書き消去する。
【００１９】
ＣＰＵ１４は、時刻ｔ１にシャッターボタンが全押し操作されると、１ショット動画の記録が指示されたことを認識して、１ショット動画の記録処理を開始させる。記録処理では、シャッターボタンが全押し操作された時刻ｔ１よりも所定時間（ｐ秒）前の時刻ｔ１’以降の画像データについては上書き消去せず、フレームバッファメモリ１３に残しておく。
【００２０】
また、上記記録処理では、音圧検出部１４ｄが、マイク１５により集音される音声データにおいて、所定の周波数帯域（たとえば人物の声に対応する周波数帯域）の音圧が所定の判定閾値ΔＶ以上であるかを検出する。なお、ΔＶは、人物の声を検出しうるよう予め定められている。
【００２１】
ＣＰＵ１４は、音圧検出部１４ｄが時刻ｔ２に上記音圧がΔＶ以上であることを検出すると、不図示のメモリに一時記憶された音声データのうち、時刻ｔ２よりも所定時間（ｒ秒）前の時刻ｔ２’以降の音声データをビデオ／オーディオエンコード部１４ｅへ出力する。また、時刻ｔ２以降の音声データも順次ビデオ／オーディオエンコード部１４ｅへ出力する。
【００２２】
ＣＰＵ１４は、その後ΔＶ以上の上記音圧が連続して検出される間、上記記録処理を継続する。そしてＣＰＵ１４は、音圧検出部１４ｄが時刻ｔ３に上記音圧がΔＶ未満になったことを検出すると、時刻ｔ３からｒ秒後の時刻ｔ３’において上記記録処理を終了する。
【００２３】
この結果、時刻ｔ２’から時刻ｔ３’までの音声データが、ビデオ／オーディオエンコード部１４ｅへ出力される。ビデオ／オーディオエンコード部１４ｅは、入力された音声データに対してデータエンコード処理を行い、１ショット動画の音声データとして外部メモリ２０へ記録する。すなわち、ΔＶ以上の上記音圧が連続した時間およびその前後ｒ秒の時間の音声を録音する。これにより、人物が発した言葉（たとえば、「おかあさん」、「おいしい」、「楽しい」などの１フレーズ）を途切れることなく録音することができる。なお、ΔＶ以上の上記音圧が連続した時間の前後ｒ秒の時間も録音時間に含める理由は、再生開始時点で突然人物の声が再生されて違和感を与えることを防ぐためである。
【００２４】
また、フレームバッファメモリ１３には、時刻ｔ１’から時刻ｔ３’までの動画データが一時記憶される。時間決定部１４ｂは、１ショット動画の録音時間（時刻ｔ２’から時刻ｔ３’まで）に基づいてスロー動画の録画時間を決定する。
【００２５】
図３は、１ショット動画の構成を説明する図である。１ショット動画では、録音時間（すなわち音声再生時間）を１ショット動画全体の再生時間とする。上述したように１ショット動画は、高速撮影により取得したスロー動画を再生した後、シャッターボタンの全押し操作時のフレーム画像（静止画）を継続して再生するように構成される。上記スロー動画の再生時間（Ａ秒）と上記静止画の再生時間（Ｂ秒）とは所定の比率とする。この場合、Ａ＋Ｂ秒が１ショット動画全体の再生時間である。たとえば、１ショット動画全体の再生時間が１０秒である場合に、Ａ：Ｂ＝１：４とすると、上記スロー動画の再生時間は２秒となり、上記静止画の再生時間は８秒となる。また、上記スロー動画の再生時のフレームレートが３０ｆｐｓであり、高速撮影時のフレームレートが６０ｆｐｓであるため、上記スロー動画の録画時間（撮影時間）は１秒となる。
【００２６】
このように時間決定部１４ｂは、録音時間を１ショット動画全体の再生時間として決定する。時間決定部１４ｂは、決定した１ショット動画全体の再生時間と、上記スロー動画および上記静止画の再生時間の所定比率とに基づいて、上記スロー動画の再生時間と上記静止画の再生時間とを決定する。時間決定部１４ｂは、決定した上記スロー動画の再生時間と、上記スロー動画の再生時および高速撮影時のフレームレートとに基づいて、上記スロー動画の録画時間（すなわち撮影時間）を決定する。
【００２７】
画像処理部１４ａは、時間決定部１４ｂの指示に応じて、フレームバッファメモリ１３に蓄積された時刻ｔ１’から時刻ｔ３’までの動画データのうち、シャッターボタンが全押し操作された時刻ｔ１を含む上記録画時間分の動画データを読み出す。具体的には、上記録画時間がｐ秒よりも長い場合には、時刻ｔ１’から上記録画時間分の動画データを読み出す。一方、上記録画時間がｐ秒よりも短い場合には、時刻ｔ１を中心に上記録画時間分の動画データを読み出す。画像処理部１４ａは、読み出した動画データに対して画像処理を行い、画像処理後の動画データをビデオ／オーディオエンコード部１４ｅへ出力する。
【００２８】
また、画像処理部１４ａは、フレームバッファメモリ１３から、シャッターボタンが全押し操作された時刻ｔ１の直後に取得されたフレーム画像を上記静止画データとして読み出して画像処理を行い、画像処理後の上記静止画データをビデオ／オーディオエンコード部１４ｅへ出力する。
【００２９】
ビデオ／オーディオエンコード部１４ｅは、画像処理部１４ａから入力された動画データのフレームレートを６０ｆｐｓから３０ｆｐｓに変換してＡ秒のスロー動画データを生成する。またビデオ／オーディオエンコード部１４ｅは、画像処理部１４ａから入力された上記静止画データをＢ秒継続して再生する静止画再生用動画データを生成する。ビデオ／オーディオエンコード部１４ｅは、スロー動画データの後に静止画再生用動画データをつなぎあわせることにより、上記スロー動画の後に上記静止画を継続して再生する１ショット動画データを生成する。
【００３０】
ビデオ／オーディオエンコード部１４ｅは、上記１ショット動画データに対してデータエンコード処理を行い、得られた１ショット動画データと上記１ショット動画の音声データを含む１ショット動画ファイルを生成して外部メモリ２０へ記録する。
【００３１】
この結果、外部メモリ２０へ記録された１ショット動画ファイルを再生すると、上記スロー動画がＡ秒再生された後に上記静止画がＢ秒再生されるとともに、上記スロー動画の再生開始から上記静止画の再生終了までＡ＋Ｂ秒の音声が合わせて再生される。すなわち、人物の言葉が途切れることなく録音された音声とともに、音声の再生時間に合った動画（上記スロー動画＋上記静止画）が再生される。
【００３２】
なお、上述では音圧検出部１４ｄが時刻ｔ２に上記音圧がΔＶ以上であることを検出した場合について説明したが、シャッターボタンの全押し操作（時刻ｔ１）後所定時間（たとえば１秒）以内にΔＶ以上の上記音圧が検出されない場合には、上記記録処理を終了する。この場合のＣＰＵ１４は、この終了時点までに一時記憶された音声を録音し、その録音時間を上述した例と同様に１ショット動画全体の再生時間とする。
【００３３】
図４は、ＣＰＵ１４が実行する１ショット動画撮影処理の流れを説明するフローチャートである。ＣＰＵ１４は、１ショット動画撮影モードに設定されると、図４に例示する処理を起動する。
【００３４】
ステップＳ１において、ＣＰＵ１４は、操作部材１６のシャッターボタンが半押し操作されたか否かを判定する。ＣＰＵ１４は、シャッターボタンから半押し操作信号が入力された場合にステップＳ１を肯定判定してステップＳ２へ進む。ＣＰＵ１４は、シャッターボタンから半押し操作信号が入力されない場合にはステップＳ１を否定判定し、当該判定処理を繰り返してシャッターボタンの半押し操作を待つ。
【００３５】
ステップＳ２において、ＣＰＵ１４は、上述したプリキャプチャー処理を開始してステップＳ３へ進む。
【００３６】
ステップＳ３において、ＣＰＵ１４は、操作部材１６のシャッターボタンが全押し操作されたか否かを判定する。ＣＰＵ１４は、シャッターボタンから全押し操作信号が入力された場合にステップＳ３を肯定判定してステップＳ４へ進む。ＣＰＵ１４は、シャッターボタンから全押し操作信号が入力されない場合にはステップＳ３を否定判定し、当該判定処理を繰り返してシャッターボタンの全押し操作を待つ。
【００３７】
ステップＳ４において、ＣＰＵ１４は、上述した記録処理を開始してステップＳ５へ進む。
【００３８】
ステップＳ５において、ＣＰＵ１４は、マイク１５により集音される音声データの所定の周波数帯域において所定の判定閾値（ΔＶ）以上の音圧が連続しているか否かを判定する。ＣＰＵ１４は、所定の判定閾値（ΔＶ）以上の音圧を連続して検出している場合にステップＳ５を肯定判定してステップＳ６へ進む。ＣＰＵ１４は、音圧が所定の判定閾値（ΔＶ）未満になったことを検出した場合にはステップＳ５を否定判定してステップＳ７へ進む。
【００３９】
ステップＳ５を肯定判定して進むステップＳ６において、ＣＰＵ１４は、上述した記録処理を継続して、ステップＳ５へ戻る。
【００４０】
ステップＳ５を否定判定して進むステップＳ７において、ＣＰＵ１４は、上記音圧が所定閾値（ΔＶ）未満になったことを検出してから所定時間（ｒ秒）後に、上述した記録処理を終了して、ステップＳ８へ進む。
【００４１】
ステップＳ８において、ＣＰＵ１４は、所定の判定閾値（ΔＶ）以上の音圧が連続した時間およびその前後所定時間（ｒ秒）の音声を１ショット動画の音声データとして記録して、ステップＳ９へ進む。
【００４２】
ステップＳ９において、ＣＰＵ１４は、１ショット動画の録音時間を１ショット動画全体の再生時間として決定する。ＣＰＵ１４は、決定した１ショット動画全体の再生時間に基づいて、上記スロー動画の再生時間と上記静止画の再生時間とを決定する。ＣＰＵ１４は、決定した上記スロー動画の再生時間に基づいて上記スロー動画の録画時間を決定し、ステップＳ１０へ進む。
【００４３】
ステップＳ１０において、ＣＰＵ１４は、フレームバッファメモリ１３から上記録画時間分の動画データを読み出し、上記スロー動画データに変換する。またＣＰＵ１４は、フレームバッファメモリ１３からシャッターボタンの全押し操作時に取得されたフレーム画像を上記静止画データとして読み出す。そしてＣＰＵ１４は、上記スロー動画データ、上記静止画データ、および上記音声データを含む１ショット動画ファイルを生成して外部メモリ２０へ記録し、図４による処理を終了する。
【００４４】
以上説明した実施の形態によれば、次の作用効果が得られる。
（１）デジタルカメラは、再生時よりも高速のフレームレートで被写体像を撮像する撮像素子１２と、集音するマイク１５と、撮像素子１２により撮像された動画とともに、マイク１５で集音された音声を外部メモリ２０に記録するＣＰＵ１４と、マイク１５で集音された音声が所定条件を満たすか否かを検出する音圧検出部１４ｄと、音圧検出部１４ｄで所定条件を満たす音声が連続して検出された時間を含むように音声の録音時間を決定し、録音時間に基づいて外部メモリ２０に記録する動画（上記スロー動画）の再生時間を決定し、動画の再生時間に基づいて動画の録画時間を決定する時間決定部１４ｂと、を備えるので、高速撮影によりスロー動画を取得する場合に適切に音声を記録できる。これにより、たとえば人物の言葉が途切れることなく音声を記録できるので、再生時の違和感を防止することができる。
【００４５】
（２）上記（１）のデジタルカメラにおいて、時間決定部１４ｂは、動画（上記スロー動画）の再生後に連続して再生される静止画の再生時間と、動画（上記スロー動画）の再生時間との合計時間（１ショット動画全体の再生時間）を録音時間と同じ長さになるように決定し、合計時間に基づいて動画の再生時間を決定するように構成したので、上記スロー動画と上記静止画とを連続して再生する１ショット動画に合わせて、適切に音声を記録できる。
【００４６】
（３）上記（１）または（２）のデジタルカメラにおいて、動画（１ショット動画）の記録を指示する操作部材１６（シャッターボタン）と、操作部材１６による指示（全押し操作）前から撮像素子１２により撮像された動画を蓄積するフレームバッファメモリ１３と、をさらに備え、ＣＰＵ１４は、時間決定部１４ｂにより決定された録画時間分の動画をフレームバッファメモリ１３から読み出して外部メモリ２０に記録するように構成したので、シャッターボタンの全押し操作前を含んだスロー動画を記録することができる。
【００４７】
（４）上記（３）のデジタルカメラにおいて、操作部材１６による指示（全押し操作）の時点を含む動画（上記スロー動画）を外部メモリ２０に記録するので、シャッターボタンの全押し操作を挟む前後の動画をスロー動画として記録することができる。
【００４８】
（５）上記（３）または（４）のデジタルカメラにおいて、上記静止画は、操作部材１６による指示（全押し操作）直後に撮像素子１２が撮像した画像であるように構成したので、１ショット動画の再生時に、スロー動画に加え、シャッターボタンの全押し操作時に撮像されたフレーム画像もユーザに確認させることができる。
【００４９】
（変形例１）
上述した実施の形態では、再生時のフレームレートを固定（３０ｆｐｓ）として、上記スロー動画の再生時間に基づいて上記スロー動画の録画時間を決定する場合について述べたが、録画時間を固定として上記スロー動画の再生時間に基づいて再生時のフレームレートを決定するようにしてもよい。たとえば、高速撮影時のフレームレートが６０ｆｐｓであり、固定の録画時間が１秒である場合において、上記スロー動画の再生時間を３秒と決定すると、再生時のフレームレートを２０ｆｐｓと決定する。
【００５０】
このように、変形例１の時間決定部１４ｂは、上記スロー動画の再生時間に基づいて上記スロー動画の再生時のフレームレートを決定する。変形例１によれば、上述した実施の形態と同様に、高速撮影によりスロー動画を取得する１ショット動画に合わせて適切に音声を記録できる。
【００５１】
（変形例２）
上述した実施の形態では、フレームバッファメモリ１３からシャッターボタンの全押し操作時を含む動画を読み出してスロー動画に変換する場合について述べたが、これに限らなくてもよい。たとえば、録画時間の中央と録音時間の中央が一致するように、上記録画時間分の動画をフレームバッファメモリ１３から読み出してスロー動画に変換するようにしてもよい。変形例２によれば、動画と音声の取得タイミングを合わせることができる。
【００５２】
（変形例３）
上述した実施の形態では、録音時間を１ショット動画全体の再生時間として決定する場合について述べた。この代わりに、録音時間よりも長く１ショット動画全体の再生時間を決定してもよい。
【００５３】
たとえば、録音時間が所定時間（たとえば１秒）よりも短い場合には、録音時間よりも所定時間（たとえば１秒）長く１ショット動画全体の再生時間を決定する。この場合、１ショット動画全体の再生時間の中で音声が不足する部分については、無音としたり、ＢＧＭや効果音を挿入したりする。また、１ショット動画全体の再生時間と同じ長さのＢＧＭと録音した音声とを合成して１ショット動画の音声データを生成するようにしてもよい。
【００５４】
このように、１ショット動画全体の再生時間を録音時間以上となるように決定することにより、人物の言葉が途切れることなく、１ショット動画に合わせて適切に音声を記録できる。
【００５５】
（変形例４）
上述した実施の形態では、マイク１５が集音する音声データにおいて、所定周波数帯域の音圧が所定の判定閾値以上であるかを検出する場合について述べた。周波数帯域については、たとえば、公知のシーン判定処理によって撮影シーンを判定し、判定結果に応じてどの周波数帯域の音圧を検出するかを切り替えるようにしてもよい。この場合、撮影シーンを「ポートレート」と判定した場合は、人物全般の声に対応する周波数帯域の音圧を検出し、撮影シーンを「子供」と判定した場合は、子供の声に対応する周波数帯域の音圧を検出する。
【００５６】
（変形例５）
上述した実施の形態では、１ショット動画を構成する上記スロー動画と上記静止画の再生時間の比率を所定比率とし、上記録音時間（１ショット動画全体の再生時間）に基づいて上記スロー動画および上記静止画の両方の再生時間を決定する場合について述べた。再生時間については、たとえば上記静止画の再生時間を固定とし、上記スロー動画の再生時間のみを上記録音時間（１ショット動画全体の再生時間）に基づいて決定するようにしてもよい。
【００５７】
（変形例６）
上述した実施の形態では、上記スロー動画および上記静止画を再生する１ショット動画を記録する場合について述べたが、たとえば、スロー動画のみを記録する場合に本発明を適用するようにしてもよい。この場合、録音時間に基づいてスロー動画の再生時間を決定し、決定した再生時間からスロー動画の録画時間を決定する。
【００５８】
以上の説明はあくまで一例であり、上記の実施形態の構成に何ら限定されるものではない。また、上記実施形態に各変形例の構成を適宜組み合わせてもかまわない。
【符号の説明】
【００５９】
１１…撮像光学系
１２…撮像素子
１３…フレームバッファメモリ
１４…ＣＰＵ
１４ａ…画像処理部
１４ｂ…時間決定部
１４ｃ…マイクアンプ
１４ｄ…音圧検出部
１４ｅ…ビデオ／オーディオエンコード部
１５…マイク
１６…操作部材
２０…外部メモリ
【図１】
2013207351.tif 000003
【図２】
2013207351.tif 000004
【図３】
2013207351.tif 000005
【図４】
2013207351.tif 000006